(57)【要約】【課題】Ｘ線撮影において被検体の部位とＸ線照射野の位置合わせ調整操作を省くことにより検査効率を向上する。【解決手段】被検体の撮影部位にＸ線を照射するＸ線管１と、Ｘ線管１から照射されたＸ線の照射野を設定するＸ線絞り２によって設定されたＸ線の照射野に対応する光を前記被検体の体表に投影する投影器３と、Ｘ線管１と対向配置され前記被検体の撮影部位を透過したＸ線像として検出するＸ線検出器４と、Ｘ線検出器４の投影器３からの光の入射面に設けられ投影器３から光を検出する光検出器５と、光検出器５によって検出された光に基づき前記被検体の体型を測定し、その測定された体型によりＸ線検出器４の前記被検体の身長方向の位置を調整するＸ線検出器位置調整機７とを備えた。【選択図】      図１
2004261490.tif 000002
【特許請求の範囲】
【請求項１】
被検体の撮影部位にＸ線を照射するＸ線源と、このＸ線源から照射されたＸ線の照射野を設定する照射野設定部と、この照射野設定部によって設定されたＸ線の照射野に対応する光を前記被検体の体表に投影する投影器と、前記Ｘ線源乃至前記投影器と対向配置され前記被検体の撮影部位を透過したＸ線像として検出するＸ線検出器と、このＸ線検出器の前記投影器からの光の入射面に設けられ前記投影器から光を検出する光検出器と、この光検出器によって検出された光に基づき前記被検体の体型を測定し、その測定された体型により前記Ｘ線検出器の前記被検体の身長方向の位置を調整する調整部とを備えたことを特徴とするＸ線撮影装置。
【発明の詳細な説明】
【０００１】
【発明の属する技術分野】
本発明は、Ｘ線撮影装置に係り、特に被検体とＸ線検出器の位置合わせ操作を向上したＸ線撮影装置に関する。
【０００２】
【従来技術】
従来のＸ線撮影装置では、被検体の身長方向にＸ線検出器の位置合わせをするため様々試みられている。
（１）情報記憶媒体から被検体の身長情報を読取り、装置の位置を制御する手法。［特許文献１］
（２）被験者の身長を測る測定手段（たとえば赤外線センサ身長検出器）を設ける。［特許文献２］
【０００３】
【特許文献１】
特許第２８２６５８２号公報
【特許文献２】
特開平０７−１６３５５３号公報
【０００４】
【発明が解決しようとする課題】
しかし被検体は頭の大きさは違うなど体型が異なるので、上記各従来技術では例えば、胸部の高さに合わせるため微調整が必要になり、集団健診などではその微調整の調整操作が煩雑であるという問題があった。
【０００５】
本発明は、Ｘ線撮影装置において被検体の部位とＸ線照射野の位置合わせの調整操作を省くことにより検査効率を向上することを目的とする。
【０００６】
【課題を解決するための手段】
上記目的は、被検体の被検体の撮影部位にＸ線を照射するＸ線源と、このＸ線源から照射されたＸ線の照射野を設定する照射野設定部と、この照射野設定部によって設定されたＸ線の照射野に対応する光を前記被検体の体表に投影する投影器と、前記Ｘ線源乃至前記投影器と対向配置され前記被検体の撮影部位を透過したＸ線像として検出するＸ線検出器と、このＸ線検出器の前記投影器からの光の入射面に設けられ前記投影器から光を検出する光検出器と、この光検出器によって検出された光に基づき前記被検体の体型を測定し、その測定された体型により前記Ｘ線検出器の前記被検体の身長方向の位置を調整する調整部とを備えたことで達成される。
【０００７】
【発明の実施の形態】
本発明のＸ線撮影装置の実施の一形態について図面を用いて説明する。
図１は、本発明のＸ線撮影装置の構成例を示すブロック図、図２は、図１の光検出器の概念図、図３は、図１のＸ線撮影装置のＸ線検出器の位置合わせを行うための手順を示すフローチャートである。
【０００８】
まず、本発明のＸ線撮影装置の構成について説明する。
このＸ線撮影装置は、Ｘ線管１、Ｘ線絞り２、投影器３、Ｘ線検出器４、光検出器５、Ｘ線発生器兼絞り開口制御器６、Ｘ線検出器位置調整器７、操作卓８、ＣＰＵ９を有している。
【０００９】
Ｘ線管１は被検体にＸ線を照射する。Ｘ線絞り２はＸ線管１に照射されたＸ線を前記被検体の撮影部位のみに絞る。投影器３は、Ｘ線絞り２の内部に設けられ反射鏡等を介した投光器からの光が前記被検体の体表に投影されＸ線の照射野を目視で確認するものである。Ｘ線検出器４はＸ線管１、Ｘ線絞り２、投影器３と前記被検体を挟んで対向配置され前記被検体の透過Ｘ線をＸ線像として検出する。この検出されたＸ線像は図示しない画像出力部によってモニタ出力されたり、フィルムに出力されたりする。光検出器５は、Ｘ線検出器４の投影器３からの光の入射面（Ｘ線管１からのＸ線の入射面に同じ）に設けられ投影器３からの光を検出する。
【００１０】
光検出器は図２に示すようにＸ線検出器４にフォトダイオード列ＰＤＡを所定間隔で配置する。ＰＤＡに投影器３から光が入射するとＯＮ、被検体の影になるとＯＦＦとする。
【００１１】
Ｘ線発生器兼絞り開口制御器６は、Ｘ線管１に電源を供給するとともに、周知の方法でＸ線絞り２の開口の大きさを制御する。Ｘ線検出器位置調整器７は、光検出器５が前記被検体に遮られることにより、前記被検体の頭部の形状などの体型を測定し、その測定結果によりＸ線検出器４の前記被検体の身長方向の位置合わせをモータを介した周知の方法で行う。操作卓８は、検者がＸ線照射スイッチなどを入力する。ＣＰＵ９は、Ｘ線撮影装置全体を統括的に制御する。
【００１２】
次に、上記操作の動作について図３を用いて説明する。
Ｘ線撮影で胸部立位撮影の場合では定まった撮影体位で行うので、被検体の頭部がＸ線検出器の上部中央となるように位置を調整する。
被検体がＸ線検出器４の前に立つとＰＤＡ１すべてＯＮ、ＰＤＡ２中央部分がＯＦＦ、周辺部ＯＮになる（ステップ３０１）。
【００１３】
前ステップで検出した被検体の頭部位置に基づき、Ｘ線検出器位置調整器７によりＸ線検出器４の前記被検体の身長方向の位置合わせ（粗調整）を行う（ステップ３０２）。
【００１４】
前ステップ粗調整によりＰＤＡ３の中央部分のＯＦＦ領域が最小になるようにＸ線検出器４を調整する。すなわち頸部の部分は遮光領域が最小になるように高さを調整することで検出され、最適位置を得る（ステップ３０３）。
【００１５】
ＰＤＡ４、ＰＤＡ５のＯＮの範囲から肩の位置を測定する（ステップ３０４）。
【００１６】
前記ステップで測定（検出）した頭、頸部、肩の体型によりＸ線検出器４を被検体の胸部位置（撮影位置）に微調整して位置合わせを完了する（ステップ３０５）。
【００１７】
本実施形態によれば、次の効果を奏する。
▲１▼操作者がＸ線検出器と被検体の側にいなくても短時間で被検体に適合した位置に調整できる。
▲２▼多数の被検体に対してＸ線撮影検査を行う場合でも、撮影部位の位置合わせによる効率が低下することが無くなく、また無理な姿勢で撮影することがなくなり、被検体の負担を低減できる。
▲３▼ＰＤＡ信号を使って高さの他、左右のバランス（中心位置）も確認できる。
▲４▼所定の位置になったことを確認してランプを点灯したり、撮影開始が可能である。
▲５▼中心位置がズレている場合は被検体に移動を指示できる。
【００１８】
【発明の効果】
本発明は、Ｘ線撮影において，被検体の部位とＸ線照射野の位置合わせの調整操作を省くことにより検査効率を向上できる。
【図面の簡単な説明】
【図１】本発明のＸ線撮影装置の構成例を示すプロック図。
【図２】図１の光検出器の概念図。
【図３】図１のＸ線撮影装置のＸ線検出器の位置合わせを行うため手順を示すフローチャート。
【符号の説明】
１  Ｘ線管、２  Ｘ線絞り、３  投影器、４  Ｘ線検出器、５  光検出器、６  Ｘ線発生器兼絞り開口制御器、７  Ｘ線検出器位置調整器、８  操作卓、９  ＣＰＵ
【図１】
2004261490.tif 000003
【図２】
2004261490.tif 000004
【図３】
2004261490.tif 000005